(57)【要約】      （修正有）【課題】現像およびプリントの時間を有効に活用することができる自動写真撮影装置を提供する。【解決手段】自動写真撮影装装置である証明写真機１において、所定の静止画又は動画の広告画像を記憶する広告画像記憶部１０９と、前記現像部１０７およびプリント１０８により写真を現像およびプリントしている間、前記広告画像記憶部１０９に記憶されている静止画又は動画の広告画像を表示するＣＭ用モニタ部１０５とが設けられている。【選択図】図３
2009048149.tif 000002
【特許請求の範囲】
【請求項１】
撮影料金のための貨幣を投入する貨幣投入手段と、
前記貨幣投入手段により所定の撮影料金の貨幣が投入された場合に被写体を撮影するカメラ手段と、
前記カメラ手段により撮影した被写体を現像する現像手段と、
該現像手段により現像された写真をプリントするプリント手段と、
該プリント手段によりプリントされた写真を受け取るための写真受取手段とを備える自動写真撮影装置において、
所定の静止画又は動画の広告画像を記憶する広告画像記憶手段と、
前記現像手段およびプリント手段により写真を現像およびプリントしている間、前記広告画像記憶手段に記憶されている静止画又は動画の広告画像を表示するモニタ手段とが設けられているを特徴とする自動写真撮影装置。
【請求項２】
前記広告画像が前記モニタ手段に表示されているときに、該広告画像に基づく商品又はサービスをインターネット等のネットワークを介して注文するための注文手段が設けられている請求項１に記載の自動写真撮影装置。
【請求項３】
前記広告画像が前記モニタ手段に表示されているときに、該広告画像に基づく会員登録をネットワークを介して行うための会員登録手段が設けられている請求項１または請求項２に記載の自動写真撮影装置。
【請求項４】
前記広告画像が前記モニタ手段に表示された場合に、広告を閲覧した特典として撮影料金の一部又は全部を返還するための撮影料金返還手段が設けられている請求項１ないし請求項３のいずれかに記載の自動写真撮影装置。
【請求項５】
前記モニタ手段は、装置外部に設けられ、かつ広告画像を専用的に表示するものとなされている請求項１ないし請求項４のいずれかに記載の自動写真撮影装置。
【請求項６】
前記モニタ手段は、装置内部に設けられ、かつ前記カメラ手段により撮影された被写体の画像も表示するものとなされている請求項１ないし請求項４のいずれかに記載の自動写真撮影装置。
【発明の詳細な説明】
【技術分野】
【０００１】  本発明は、証明写真やプリクラなどのように人の顔などを撮影するための自動写真撮影装置に関する。
【背景技術】
【０００２】  従来、パスポート、運転免許証、あるいは履歴書などに用いられる証明写真を撮影するのに証明写真機が使用されることが多い。この証明写真機は、駅、ショッピングモール、その他の郊外の箇所において設置されている。具体的には、人が装置内にある椅子に座り、撮影料金を投入すると人の顔などが撮影が開始され、その撮影した写真を所定時間現像およびプリントして、複数枚一綴りの写真として受取口から受け取ることができる。【０００３】  一方、最近では、若者の間では「プリクラ」と呼ばれるものが知られている。このプリクラ装置は、主にゲームセンターや観光地などに多く設置されている。具体的には、上述の証明写真装置よりも撮影空間が広く設けられており、所定のフレームなどを設定したあと、１人又は複数人にて立ちながら顔や全身を撮影して、その撮影した写真を所定時間現像およびプリントして、複数枚一綴りの写真として受取口から受け取ることができる。【０００４】  これら証明写真機やプリクラ装置などの自動写真撮影装置は、いずれも簡単に被写体を撮影することができ、広く利用されているものである。
【発明の開示】
【発明が解決しようとする課題】
【０００５】  しかしながら、被写体を撮影したあと、写真を現像およびプリントするのに所定の時間（例えば１分〜３分）がかかるが、この時間中は利用者は出来上がるまでただ待つのみであり、この写真の現像およびプリントの時間を有効に活用できていないという問題があった。【０００６】  本発明は、この問題に鑑みてなされたものであって、現像およびプリントの時間を有効に活用することができる自動写真撮影装置の提供を課題とする。
【課題を解決するための手段】
【０００７】  本発明は、上記課題を解決するために、自動写真撮影装置において写真の現像・プリントの時間中に利用者に所定の広告の閲覧を供せしめるものである。【０００８】  すなわち、本発明は、撮影料金のための貨幣を投入する貨幣投入手段と、前記貨幣投入手段により所定の撮影料金の貨幣が投入された場合に被写体を撮影するカメラ手段と、前記カメラ手段により撮影した被写体を現像する現像手段と、該現像手段により現像された写真をプリントするプリント手段と、該プリント手段によりプリントされた写真を受け取るための写真受取手段とを備える自動写真撮影装置において、所定の静止画又は動画の広告画像を記憶する広告画像記憶手段と、前記現像手段およびプリント手段により写真を現像およびプリントしている間、前記広告画像記憶手段に記憶されている静止画又は動画の広告画像を表示するモニタ手段とが設けられていることを特徴とする。【０００９】  これによれば、写真の現像・プリントの時間中にモニタ手段に広告画像が表示されるので、利用者は当該時間中は広告を閲覧することにより当該時間を有効に活用することができる。【００１０】  また、前記広告画像が前記モニタ手段に表示されているときに、該広告画像に基づく商品又はサービスをインターネット等のネットワークを介して注文するための注文手段が設けられているのが好ましい。これによれば、広告を閲覧した利用者が当該広告に基づく商品やサービスをその場で購入することができる。【００１１】  また、前記広告画像が前記モニタ手段に表示されているときに、該広告画像に基づく会員登録をネットワークを介して行うための会員登録手段が設けられていのが好ましい。これによれば、広告を閲覧した利用者が当該広告に基づく会員登録をその場で行うことができる。【００１２】  また、前記広告画像が前記モニタ手段に表示された場合に、広告を閲覧した特典として撮影料金の一部又は全部を返還するための撮影料金返還手段が設けられているのが好ましい。これによれば、利用者が広告を閲覧するだけで撮影料金の一部又は全部が返金されることになるため、多くの利用者が当該自動写真撮影装置を利用しようとインセンティブが働き、当該自動写真撮影装置の商品価値が向上することになる。【００１３】  また、前記モニタ手段は、装置外部に設けられ、かつ広告画像を専用的に表示するものとなされてもよい。これによれば、特に本装置を証明写真装置に適用した場合に、利用者は装置外部で写真が出来上がるの待ちながら広告を閲覧することができる。【００１４】  また、前記モニタ手段は、装置内部に設けられ、かつ前記カメラ手段により撮影された被写体の画像も表示するものとなされてもよい。これによれば、特に本装置をプリクラ装置に適用した場合に、利用者は装置内部で写真が出来有るのを待ちながら広告を閲覧することができる。
【発明の効果】
【００１５】  本発明によれば、写真の現像・プリントの時間中にモニタ手段に広告画像が表示されるので、利用者は当該時間中は広告を閲覧することにより当該時間を有効に活用することができる。このため利用者は暇を持て余すことなく広告を閲覧しながら写真を待つ一方、装置側としても種々の広告を効率的に流すことができ大変便利である。
【発明を実施するための最良の形態】
【００１６】  次に本発明の一実施形態に係る自動写真撮影装置について説明する。【００１７】  本実施形態では本発明を証明写真機（１）に適用した場合について説明する。【００１８】  図１は証明写真機（１）の外観の概略構成図、図２は証明写真機（１）の内部の構成概略図である。【００１９】  この証明写真機（１）は、ボックス型に形成されており、その一方側面には出入口部（１１）が設けられ、内部には人が入って撮影できる程度の大きさの撮影空間（１２）が設けられている。【００２０】  証明写真機（１）の撮影空間の前方内面には、図２に示すように、撮影料金のための貨幣を投入する貨幣投入部（１０１）と、人顔を撮影するカメラ部（１０２）と、各種操作を行うための操作部（１０３）と、状況等を表示するメインモニタ部（１０４）とが設けられている。【００２１】  証明写真機（１）の一方側面の出入口部（１１）の横側には、図１に示すように、後述する広告画像を表示するＣＭ用モニタ部（１０５）と、現像およびプリントされた写真を受け取るための写真受取部（１０６）が設けられている。【００２２】  図２は、証明写真機（１）の機能の概略構成図である。【００２３】  図２において、（１０１）は貨幣を投入するための前記貨幣投入部、（１０２）は被写体を撮影する前記カメラ部、（１０３）は各種操作を行うための操作部、（１０４）は状況等を表示するメインモニタ部（１０４）、（１０５）は広告画像を表示するＣＭ用モニタ部、（１０７）は写真を現像する現像部、（１０８）は写真をプリントするプリント部、（１０９）は所定の静止画又は動画の広告画像を記憶する広告画像記憶部、（１１０）は各部を統括的に制御する制御部である。【００２４】  前記貨幣投入部（１０１）は、撮影料金のための貨幣を投入するところであり、１０円、５０円、１００円、５００円といった貨幣を一枚ずつ又は複数枚まとめて投入できるようになっている。投入された貨幣が所定の撮影料金に達したかどうかは内部のセンサーより判断され、撮影料金に達した場合には撮影可能の指令を制御部（１１０）に送信するようになっている。その他、貨幣が所定の撮影料金を越える場合には、当該越える分の貨幣をおつりとして返却できるようにもなっている。これらの機能は従来の装置にも存在しているものである。【００２５】  前記カメラ部（１０２）は、人が撮影空間（１２）の椅子（１３）に座った場合には人顔がちょうど真正面に来る位置に設置されている。人の座高の高低により撮影の適正位置がずれることがあるが、椅子（１３）の高さを調整することによって人顔を撮影の適正位置にもってくることができるようになっている。また、カメラ部（１０２）は直接触れることができず、透明のガラス板などで遮蔽されている場合が多い。【００２６】  前記現像部（１０７）およびプリント部（１０８）は、カメラ部（１０２）により撮影した人顔の写真を現像し、さらに所定の写真紙にプリントするものである。これらの処理には、通常、銀塩写真において、撮影された写真を薬品で処理して、映像（潜像）を写真紙に出現させる方法が使用されるが、その他の方法であってもよい。証明写真の場合、通常、一枚の写真紙に同一の写真画像を複数現像・プリント��たり、あるいは一枚の写真紙に複数撮影した写真画像をそれぞれ現像・プリントすることが多い。なお、プリントされた写真は現像液で濡れている場合があるので、熱風などにより乾燥するものとしてもよい。【００２７】  前記写真受取部（１０６）は、前記プリント部（１０８）によりプリントされた写真を受け取るためのものである。通常は、写真は上方から縦方向に落ちてきて、写真受取部（１０６）に設けられた止め部にて止まって立て掛けられた状態となる。利用者はその立て掛けられた状態の写真を取り出せばよい。【００２８】  前記広告画像記憶部（１０９）は、静止画又は動画の広告画像を記憶するものである。広告画像は一枚または複数の静止画の広告画像をそれぞれ記憶するものとしてもよいし、あるいは一連の動画の広告画像を記憶するものとしてもよい。この広告画像はサービスマンが証明写真機（１）に直接記憶せしめてもよいし、あるいはインターネットを介して遠隔操作にて記憶せしめてもよい。【００２９】  前記ＣＭ用モニタ部（１０５）は、広告画像記憶部（１０９）に記憶されている静止画または動画の広告画像を表示するものである。具体的には、写真を現像およびプリントには一定の時間（例えば１分から３分）がかかるので利用者はそのまま立って待つ場合が多い。そこで、写真を現像およびプリントしている間、静止画または動画の広告をＣＭ用モニタ部（１０５）に表示させることによって、利用者は当該時間中は広告を閲覧することにより当該時間を有効に活用することができる。【００３０】  図３は、本実施形態に係る証明写真機（１）の動作の流れを示すフローチャートである。なお、説明および図面において「ステップ」を「Ｓ」と略記する。【００３１】  まず、Ｓ１において、利用者により貨幣投入部（１０１）に貨幣が投入された場合、投入金額が所定の撮影料金以上であるかどうかを判断し、撮影料金以上である場合にはＳ２に進む。撮影料金未満である場合には当該判断の繰り返す。【００３２】  Ｓ２では、操作部（１０３）における利用者の操作を判別し、Ｓ３に進む。この利用者の操作の判別は、例えば写真のサイズを選択したり、撮影開始を決定したりする。【００３３】  Ｓ３では、カメラ部（１０２）が利用者の人顔を撮影し、Ｓ４およびＳ５に進む。この撮影は一回だけ撮影したり、複数回撮影したり、あるいは撮影し直したりするものであってもよい。また、撮影した写真画像をメインモニタ部（１０４）に表示することによって、写真画像を確認できるようにしてもよい。【００３４】  Ｓ４では、現像部（１０７）がカメラ部（１０２）により撮影された写真を現像し、プリント部（１０８）が当該現像された写真をプリントし、Ｓ６に進む。一枚の写真紙に同一の写真画像を複数現像・プリントしたり、あるいは一枚の写真紙に複数撮影した写真画像をそれぞれ現像・プリントしてもよい。【００３５】  Ｓ５では、前記ＣＭ用モニタ部（１０５）が、広告画像記憶部（１０９）に記憶されている静止画または動画の広告画像を表示する。【００３６】  Ｓ６では、プリント部（１０８）によりプリントされた写真を写真受取部（１０６）に排出する。利用者は広告画像を閲覧したあとに写真受取部（１０６）より写真を受け取る。【００３７】  なお、本実施形態では、本発明を証明写真機（１）に適用した場合について説明したが、プリクラ装置など、その他の自動写真撮影装置に適用してもよい。【００３８】  また、前記広告画像がＣＭ用モニタ部（１０５）に表示されているときに、該広告画像に基づく商品又はサービスをインターネット等のネットワークを介して注文するための注文部が設けられていてもよい。【００３９】  また、前記広告画像が前記ＣＭ用モニタ部（１０５）に表示されているときに、該広告画像に基づく会員登録をネットワークを介して行うための会員登録部が設けられていてもよい。【００４０】  前記広告画像が前記ＣＭ用モニタ部（１０５）に表示された場合に、広告を閲覧した特典として撮影料金の一部又は全部を返還するための撮影料金返還部が設けられてもよい。【００４１】  前記ＣＭ用モニタ部は、装置外部に設けられ、かつ広告画像を専用的に表示するものとしたが、装置内部に設けられ、かつ前記カメラ部（１０２）により撮影された被写体の画像も表示するものとしてもよい。
【図面の簡単な説明】
【００４２】
【図１】本発明の一実施形態に係る証明写真機の外観の構成概略図である。
【図２】図１の証明写真機の内部の構成概略図である。
【図３】図１の証明写真機の構成概略図である。
【図４】図１の証明写真機を示すフローチャートである。
【符号の説明】
【００４３】１・・・証明写真機
１０１・・・貨幣投入部
１０２・・・カメラ部
１０３・・・操作部
１０４・・・メインモニタ部
１０５・・・ＣＭモニタ部
１０６・・・写真受取部
１０７・・・現像部
１０８・・・プリント部
１０９・・・広告画像記憶部
１１０・・・制御部
【図１】
2009048149.tif 000003
【図２】
2009048149.tif 000004
【図３】
2009048149.tif 000005
【図４】
2009048149.tif 000006